(57)【要約】【課題】  ２枚の基板上の、周期的に配列したパターン同士を接続する際に、位置ずれが生じにくい電子装置を提供する。【解決手段】  第１の基板の表面に、相互に交差する第１の有向線分と第２の有向線分とを定義する。第１の基板の表面上に、各々が第２の有向線分に平行な方向に延在し、第１の有向線分に平行な方向に第１の周期で周期的に配列した複数の端子が形成されている。第１の有向線分の正の向きに向かって最も外側に配置された端子よりもさらに外側に、端子の配列の周期性を引き継いで、第１の周期で、各々が第２の有向線分に平行な方向に延在する第１及び第２のダミーパターンが配置されている。第２の有向線分の正の向きを向く第１のダミーパターンの端部は、第２のダミーパターンの同じ方向を向く端部よりも第２の有向線分の負の向きに後退しており、端子の各々は、第１のダミーパターンの第１の端部の位置を越えて、第２の有向線分の正の向きに向かって延びている。【選択図】  図２
2010197496.tif 000002
【特許請求の範囲】
【請求項１】
第１の基板と、
前記第１の基板の表面に、相互に交差する第１の有向線分と第２の有向線分とを定義したとき、前記第１の基板の表面上に配置され、各々が前記第２の有向線分に平行な方向に延在し、前記第１の有向線分に平行な方向に第１の周期で周期的に配列した複数の端子と、
前記第１の有向線分の正の向きに向かって最も外側に配置された前記端子よりもさらに外側に、前記端子の配列の周期性を引き継いで、第１の周期で、前記第１の基板の表面上に配置され、各々が前記第２の有向線分に平行な方向に延在する少なくとも２つのダミーパターンと
を有し、
前記ダミーパターンが、前記第１の有向線分の正の向きに向かって順番に並ぶ第１のダミーパターンと第２のダミーパターンとを含み、
前記第２の有向線分の正の向きを向く前記第１のダミーパターンの端部である第１の端部は、前記第２のダミーパターンの同じ方向を向く端部である第１の端部よりも前記第２の有向線分の負の向きに後退しており、前記端子の各々は、前記第１のダミーパターンの前記第１の端部の位置を越えて、前記第２の有向線分の正の向きに向かって延びている電子装置。
【請求項２】
前記第２の有向線分に平行な方向に関して、前記第１のダミーパターンの前記第１の端部と、前記第２のダミーパターンの前記第１の端部との位置のずれは、０．２ｍｍ以上である請求項１に記載の電子装置。
【請求項３】
前記第２の有向線分に平行な方向に関して、前記第１のダミーパターンの前記第１の端部の位置を始点としたとき、前記端子の各々の、前記第２の有向線分の正の向きに延びる長さは、０．２ｍｍ以上である請求項１または２に記載の電子装置。
【請求項４】
前記端子及び前記ダミーパターンは、透明導電材料で形成されている請求項１乃至３のいずれか１項に記載の電子装置。
【請求項５】
さらに、前記ダミーパターンのうち、前記第１の方向の正の向きに向かって最も外側のダミーパターンに連続し、前記第２の有向線分と交差する方向に延在する分岐パターンを有する請求項１乃至４のいずれか１項に記載の電子装置。
【請求項６】
さらに、表面に前記第１の周期で配列した複数の導電パターンが形成され、前記端子及びダミーパターンの、前記第２の有向線分の負の向きを向く端部である第２の端部に重なるように配置され、前記導電パターンが、それぞれ前記端子及びダミーパターンに接続された第２の基板を有し、
前記第２のダミーパターンの前記第１の端部は、前記第２の基板と重ならず、前記端子は、前記第２の有向線分の正の向きに向かって、前記第２の基板の縁より外側まで延びている請求項１乃至５のいずれか１項に記載の電子装置。
【請求項７】
前記第２の基板は透明であり、前記導電パターンは不透明である請求項６に記載の電子装置。
【請求項８】
前記第１のダミーパターンの前記第１の端部が、前記第２の基板と重なっている請求項６または７に記載の電子装置。
【請求項９】
さらに、前記第１のダミーパターンと前記第２のダミーパターンとを、前記第２の基板と重ならない位置において相互に連結する連結パターンが、前記第１の基板の表面上に形成されている請求項６または７に記載の電子装置。
【発明の詳細な説明】
【技術分野】
【０００１】
本発明は、基板上に、他の基板上の導電パターンと接続するための複数の端子が周期的に配列している電子装置に関する。
【背景技術】
【０００２】
液晶表示素子の基板の外周近傍に、フレキシブル配線基板に接続するための複数の端子が配置される。これらの端子に、フレキシブル配線基板上の導電パターンが接続される。両者は、例えば厚さ方向にのみ電流を流す異方性導電膜を介して圧着することにより電気的に接続される。端子が密に配置されている領域と、端子が配置されていない領域とが存在すると、圧着時における加圧が不均一になって、フレキシブル基板が撓んでしまう。この撓みにより、位置ずれが生じる場合がある。端子が配置されていない領域に、ダミーパターンを配置しておくことにより、加圧の不均一に起因するフレキシブル基板の撓みを防止することができる（特許文献１）。
【先行技術文献】
【特許文献】
【０００３】
【特許文献１】特開２００２−２１５０５９号公報
【発明の概要】
【発明が解決しようとする課題】
【０００４】
液晶表示素子に形成されている端子は、通常、表示部分の透明電極と同時に形成される。すなわち、端子も透明導電材料で形成される。一般的に、複数の端子及びダミーパターンは等間隔で配列し、各端子の幅と、相互に隣り合う端子の間隔（余地部分）とは等しい。これらの端子は透明であるため、拡大鏡等で観察したときに、端子の内側と、余地部分との区別が困難である。このため、フレキシブル配線基板上の導電パターンと、液晶表示素子の端子とを接続する際に、両者の相対位置が、端子の周期配列方向に半ピッチずれた状態と、正常に位置合わせされている状態との区別が困難である。両者の相対位置が半ピッチずれると、液晶表示素子の端子と、フレキシブル配線基板の導電パターンとの電気的接続が得られない。
【０００５】
本発明の目的は、２枚の基板上の、周期的に配列したパターン同士を接続する際に、位置ずれが生じにくい電子装置を提供することである。
【課題を解決するための手段】
【０００６】
本発明の一観点によると、
第１の基板と、
前記第１の基板の表面に、相互に交差する第１の有向線分と第２の有向線分とを定義したとき、前記第１の基板の表面上に配置され、各々が前記第２の有向線分に平行な方向に延在し、前記第１の有向線分に平行な方向に第１の周期で周期的に配列した複数の端子と、
前記第１の有向線分の正の向きに向かって最も外側に配置された前記端子よりもさらに外側に、前記端子の配列の周期性を引き継いで、第１の周期で、前記第１の基板の表面上に配置され、各々が前記第２の有向線分に平行な方向に延在する少なくとも２つのダミーパターンと
を有し、
前記ダミーパターンが、前記第１の有向線分の正の向きに向かって順番に並ぶ第１のダミーパターンと第２のダミーパターンとを含み、
前記第２の有向線分の正の向きを向く前記第１のダミーパターンの端部である第１の端部は、前記第２のダミーパターンの同じ方向を向く端部である第１の端部よりも前記第２の有向線分の負の向きに後退しており、前記端子の各々は、前記第１のダミーパターンの前記第１の端部の位置を越えて、前記第２の有向線分の正の向きに向かって延びている電子装置が提供される。
【発明の効果】
【０００７】
第１のダミーパターンの第１の端部が後退している領域に、第１の周期の３／２倍の幅を持つ無パターン領域が確保される。この無パターン領域を認識することにより、端子の内側の部分と、外側の余地部分とを容易に区別することができる。これにより、第１の基板と他の基板とを、第１の有効線分の方向に関して位置合わせするときに、他の基板が第１の有向線分の方向に第１の周期の１／２だけずれた状態と、正常に位置合わせされた状態とを、容易に区別することができる。
【図面の簡単な説明】
【０００８】
【図１】（１Ａ）は、実施例１による電子装置の平面図であり、（１Ｂ）は、（１Ａ）の一点鎖線１Ｂ−１Ｂにおける断面図である。
【図２】実施例１による電子装置の第１の基板の張出領域の平面図である。
【図３】（３Ａ）は、実施例１による電子装置の張出領域に第２の基板を位置合わせして重ねた状態の平面図であり、（３Ｂ）は、位置ずれが生じるように重ねた状態の平面図である。
【図４】実施例２による電子装置の第１の基板の張出領域の平面図である。
【図５】（５Ａ）は、実施例２による電子装置の張出領域に第２の基板を位置合わせして重ねた状態の平面図であり、（５Ｂ）は、位置ずれが生じるように重ねた状態の平面図である。
【図６】実施例３による電子装置の第１の基板の張出領域の平面図である。
【図７】実施例４による電子装置の第１の基板の張出領域の平面図である。
【発明を実施するための形態】
【０００９】
以下、図面を参照しながら、実施例１〜実施例４について説明する。
【実施例１】
【００１０】
図１Ａに、実施例１による電子装置の平面図を示し、図１Ｂに、図１Ａの一点鎖線１Ｂ−１Ｂにおける断面図を示す。
【００１１】
図１Ａに示すように、第１の基板１に対向基板２が重ねられている。第１の基板１は、対向基板２よりも大きく、その一部が対向基板２の縁よりも外側まで張り出している。この張り出した領域２０を、「張出領域」ということとする。第１の基板１及び対向基板２が共に長方形である場合、張出領域２０は、対向基板２の一辺と、それに対応する第１の基板１の一辺との間に画定され、その形状は長方形になる。張出領域２０の一部に第２の基板３の一部が重なる。第２の基板３には、例えばフレキシブル基板が用いられる。
【００１２】
図１Ｂに示すように、第１の基板１と対向基板２との間に、液晶材料５０が充填されている。液晶材料５０が充填された空間は、対向基板２の縁に沿って配置されたシール材５１によりシールされる。
【００１３】
第１の基板１の対向面に、複数の信号配線４が形成されている。対向基板２の対向面に、複数の信号配線５が形成されている。単純マトリクス型液晶表示装置においては、複数の信号配線４は相互に平行に配置され、信号配線５も相互に平行に配置される。信号配線４と信号配線５とは、相互に直交し、両者の交差する位置に画素が画定される。信号配線４及び５の一方に走査信号が印加され、他方に画像信号が印加される。セグメント型液晶表示装置においては、信号配線４及び５の一方がセグメント電極となり、他方がコモン電極となる。複数のコモン電極及びセグメント電極により、画素が画定される。
【００１４】
信号配線４は、張出領域２０に形成されている端子６に連続している。対向基板２に形成された信号配線５は、例えばシール材５１に含まれる基板間導通材を介して、第１の基板１上の導電パターンに接続され、最終的には、張出領域２０に形成されている端子６に電気的に接続される。
【００１５】
信号配線４、５及び端子６には、インジウム錫酸化物（ＩＴＯ）等の透明導電材料が用いられる。
【００１６】
第２の基板３の表面に、複数の導電パターン１１が形成されている。導電パターン１１は、それぞれ第１の基板１に形成された端子６に異方性導電膜１２を介して圧着される。導電パターン１１には、銅等の金属が用いられる。すなわち、導電パターン１１は不透明である。なお、第２の基板３は透明であり、第２の基板３を通して、導電パターン１１を視認することができる。
【００１７】
図２に、張出領域２０の平面図を示す。第１の基板１の表面をｘｙ面とし、法線方向をｚ軸とするｘｙｚ直交座標系を定義する。張出領域２０を画定する対向基板２の縁と平行な方向をｘ軸（第１の有向線分）とする。張出領域２０を画定する第１の基板１のｘ軸に平行な縁から、張出領域２０内を通過し、対向基板２のｘ軸に平行な縁に向かう向きを、ｙ軸（第２の有向線分）の正の向きとする。
【００１８】
端子６の各々は、ｙ軸に平行な方向に延在する。また、複数の端子６は、ｘ軸に平行な方向に周期的に配列している。その周期をＰとする。
【００１９】
ｘ軸の正の向きに向かって最も外側に配置された端子６よりもさらに外側の、第１の基板１上に、第１のダミーパターン７及び第２のダミーパターン８が形成されている。第１のダミーパターン７及び第２のダミーパターン８は、端子６と同じ透明導電材料で形成されており、端子６の周期性を引き継いで周期Ｐで配列している。すなわち、複数の端子６、第１のダミーパターン７、及び第２のダミーパターン８は、ｘ軸方向に周期Ｐで配列している。第２のダミーパターン８が、第１のダミーパターン７よりもｘ軸の正の側、すなわち外側に配置されている。
【００２０】
端子６、第１のダミーパターン７、第２のダミーパターン８の各々の幅（ｘ軸方向の寸法）は、周期Ｐの約１／２である。このため、相互に隣り合う端子６の間隔（余地部分）も、周期Ｐの約１／２になる。ｘ軸の正の向きに向かって最も外側の端子６と、第１のダミーパターン７との間隔、及び第１のダミーパターン７と第２のダミーパターン８との間隔も、周期Ｐの約１／２である。
【００２１】
端子６、第１のダミーパターン７、及び第２のダミーパターン８が透明導電材料で形成されているため、端子やダミーパターンの内側と、余地部分とを、色調等で区別することが困難である。
【００２２】
端子６、第１のダミーパターン７、及び第２のダミーパターン８の、ｙ軸の負の向きを向く端部（以下、「外側の端部（第２の端部）」という。）は、第１の基板１の縁の近傍に位置し、その位置は、ｙ軸方向に関してほぼ揃っている。端子６、第１のダミーパターン７、及び第２のダミーパターン８は、第１の基板１の縁の近傍から、対向基板２に向かって延びる。第１のダミーパターン７及び第２のダミーパターン８は、対向基板２の縁まで到達しない。すなわち、第１のダミーパターン７及び第２のダミーパターン８の、ｙ軸の正の向きを向く端部（以下、「内側の端部（第１の端部）」という。）は、張出領域２０内に位置する。
【００２３】
第１のダミーパターン７の内側の端部は、第２のダミーパターン８の内側の端部よりもｙ軸の負の向きに後退している。すなわち、第１のダミーパターン７は、第２のダミーパターン２よりも短い。
【００２４】
張出領域２０が、ｘ軸に平行な境界線によって２つの領域に区分されている。この境界線と、ｘ軸に平行な第１の基板１の縁との間を、接続領域２１と呼び、境界線と、ｘ軸に平行な対向基板２の縁との間を、露出領域２２と呼ぶこととする。第１のダミーパターン７の内側の端部は、接続領域２１と露出領域２２との境界線上に位置する。第２のダミーパターン８は、接続領域２１から露出領域２２まで侵入している。
【００２５】
端子６の各々は、ｙ軸方向に関して、接続領域２１から、第１のダミーパターン７の内側の端部の位置（接続領域２１と露出領域２２との境界線）を越えて、ｙ軸の正の向きに向かって延びている。
【００２６】
ｘ軸の負の向きに向かって最も外側の端子６よりもさらに外側に、２つのダミーパターンが配置されている。この２つのダミーパターンは、ｙ軸に平行な仮想直線に関して、第１のダミーパターン７及び第２のダミーパターン８と線対称の平面形状を持つ。
【００２７】
図３Ａに、張出領域２０に第２の基板３を、位置合わせして重ねた状態の平面図を示す。第２の基板３は、接続領域２１と重なるが、露出領域２２とは重ならない。第２の基板３の縁は、接続領域２１と露出領域２２との境界線にほぼ一致する。すなわち、端子６、第１のダミーパターン７、及び第２のダミーパターン８の外側の端部は、第２の基板３と重なる。
【００２８】
第２の基板３は透明であるため、第２の基板３を通して、導電パターン１１が視認される。端子６、第１のダミーパターン７、第２のダミーパターン８、及びｘ軸の負の側に配置されたダミーパターンの各々に対応して、導電パターン１１が形成されている。すなわち、導電パターン１１は、ｘ軸に平行な方向に周期的に配置されており、その周期は、端子６の周期Ｐと同一である。導電パターン１１は、ｘ方向に関して、それぞれ端子６と重なるように位置合わせされる。
【００２９】
第１のダミーパターン７の内側の端部は、第２の基板３と重なるが、第２のダミーパターン８の内側の端部は、第２の基板３と重ならず、第２の基板３の外側に位置する。図３Ａにおいて、斜線を施した端子６及び第２のダミーパターン８の外周線を視認することは容易であるが、端子６及び第２のダミーパターン８が透明導電材料で形成されているため、その内側の部分と余地部分とを区別することは困難である。
【００３０】
実施例１では、露出領域２２内において、最も外側の端子６と第２のダミーパターン８との間隔が、端子６の間隔（１／２）Ｐの３倍、すなわち（３／２）Ｐになる。この間隔（３／２）Ｐの無パターン領域３０内は、端子６及び第２のダミーパターン８の外側（余地部分）に相当する。従って、端子６及び第２のダミーパターン８の内側の部分と、余地部分とを、容易に区別することができる。
【００３１】
位置合わせが行われている状態では、ｘ方向に関して、無パターン領域３０内のほぼ中央に１本の導電パターン１１が配置される。
【００３２】
図３Ｂに、第２の基板３がｘ方向に、端子６の周期Ｐの１／２だけずれた状態を示す。この場合には、ｘ方向に関して、無パターン領域３０内に２本の導電パターン１１が配置される。この２本の導電パターン１１の間に、第１のダミーパターン７が配置される。
【００３３】
このように、無パターン領域３０と、導電パターン１１との相対位置関係を検出することにより、第１の基板１と第２の基板３とが正常に位置合わせされている状態と、第１の基板１に対すて第２の基板３が、端子６の周期Ｐの１／２だけずれた状態とを容易に区別することができる。これにより、第１の基板１と第２の基板３との位置ずれを防止することができる。
【００３４】
また、実施例１では、第１の基板１と第２の基板３とが重なる領域、すなわち接続領域２１内においては、最も外側の端子６よりもさらに外側に、端子６の周期性を引き継ぐように、２本のダミーパターン７、８が配置されている。このため、第２の基板３の導電パターン１１を端子６に圧着する際に、端子６にほぼ均等に圧力を印加することができる。
【００３５】
第２の基板３のｙ方向に関する位置ずれを考慮すると、第１のダミーパターンの内側の端部と、第２のダミーパターンの内側の端部との、ｙ方向に関する位置のずれは、０．２ｍｍ以上にすることが好ましい。なお、端子６の周期Ｐのが０．２ｍｍ未満の場合には、周期Ｐの２倍以上、周期Ｐが０．２ｍｍ以上０．４ｍｍ未満の場合には、周期Ｐ以上、周期Ｐが０．４ｍｍ以上の場合には、周期Ｐの１／３倍以上にすることが好ましい。端子６は、ｙ方向に関して、第１のダミーパターン７の内側の端部の位置から、さらにｙ軸の正の向きに向かって延びている。第１のダミーパターン７の内側の端部の位置を基準として、端子６の各々がｙ軸の正の向きに延びる長さが、０．２ｍｍ以上になるように第１のダミーパターン７の内側の端部の位置を決定することが好ましい。なお、端子６の周期Ｐのが０．２ｍｍ未満の場合には、周期Ｐの２倍以上、周期Ｐが０．２ｍｍ以上０．４ｍｍ未満の場合には、周期Ｐ以上、周期Ｐが０．４ｍｍ以上の場合には、周期Ｐの１／３倍以上になるように第１のダミーパターン７の内側の端部の位置を決定することが好ましい。
【００３６】
実施例１では、複数の端子６の外側に、２本のダミーパターン７、８を配置したが、３本以上のダミーパターンを配置してもよい。この場合、１本のダミーパターンを、第１のダミーパターン７と同様に、相対的に短くし、当該ダミーパターンに隣り合い、外側に配置されたダミーパターンを、第２のダミーパターン８と同様に、相対的に長くすればよい。
【実施例２】
【００３７】
図４に、実施例２による第１の基板１の張出領域２０の平面図を示す。実施例１と同様に、第１の基板１の表面をｘｙ面とし、法線方向をｚ軸とするｘｙｚ直交座標系を定義する。以下の説明では、実施例１との相違点に着目し、同一の構成については説明を省略する。
【００３８】
実施例１では、第１のダミーパターン７の全域が接続領域２１内に配置されていたが、実施例２では、第１のダミーパターン７の内側の端部が、露出領域２２内まで入り込んでいる。ただし、接続領域２１と露出領域２２との境界線から、第１のダミーパターン７の内側の端部までの距離は、境界線から第２のパターン８の内側の端部までの距離よりも短い。その他の構成は、実施例１による電子装置の構成と同一である。
【００３９】
図５Ａに、実施例２のよる電子装置の第１の基板１に、第２の基板３を重ねた状態の平面図を示す。第１のダミーパターン７及び第２のダミーパターン８の内側の端部が、第２の基板３の縁よりも外側に突出している。第１の基板１と第２の基板３との位置合わせを行う際に、端子６及び導電パターン１１を拡大鏡またはカメラ等で観察する。第１のダミーパターン７の内側の端部が、拡大鏡やカメラの視野内に収まる場合には、最も外側の端子６と第２のダミーパターン８との間の間隔（３／２）Ｐの領域３１を、容易に識別することができる。実施例１の場合と同様に、第２の基板３が第１の基板１に位置合わせされている場合には、ｘ方向に関して、間隔（３／２）Ｐの領域３１のほぼ中央に、１本の導電パターン１１が配置される。
【００４０】
図５Ｂに示すように、第２の基板３が第１の基板１に対してｘ方向に（１／２）Ｐだけずれている場合には、ｘ方向に関して、間隔（３／２）Ｐの領域３１内に２本の導電パターン１１が配置される。このため、実施例１の場合と同様に、第１の基板１と第２の基板３とが正常に位置合わせされた状態と、第２の基板３が第１の基板１に対して（１／２）Ｐだけずれている状態とを、容易に識別することができる。
【実施例３】
【００４１】
図６に、実施例３による電子装置の張出領域２０の平面図を示す。以下の説明では、実施例１による電子装置との相違点に着目し、同一の構成については説明を省略する。
【００４２】
実施例１では、第１のダミーパターン７及び第２のダミーパターン８が、それぞれ孤立したパターンであった。実施例３では、第２のダミーパターン８に、分岐パターン９が連続している。分岐パターン９は、接続領域２１内に配置され、第２のダミーパターン８から分岐して、ｙ方向と交差する方向、例えばｘ方向に延在する。
【００４３】
露出領域２２内において、最も外側の端子６と第２のダミーパターン８との間に、無パターン領域３０が確保されていれば、実施例３のように、第２のダミーパターン８に分岐パターン９等の他のパターンが連続していてもよい。
【実施例４】
【００４４】
図７に、実施例４による電子装置の張出領域２０の平面図を示す。以下の説明では、実施例１による電子装置との相違点に着目し、同一の構成については説明を省略する。
【００４５】
第１のダミーパターン７と、第２のダミーパターン８とが、露出領域２２内において連結パターン１０によって相互に連結されている。一例として、連結パターン１０は、第１のダミーパターン７の内側の端部と、第２のダミーパターン８の内側の端部からやや離れた位置とを、相互に連結する。連結パターン１０は、端子６の配列の周期性を崩している。このように、露出領域２２内に、端子６の配列の周期性を崩すパターンを配置しても、第１の基板１と第２の基板３との位置ずれを防止することができる。
【００４６】
以上実施例に沿って本発明を説明したが、本発明はこれらに制限されるものではない。例えば、種々の変更、改良、組み合わせ等が可能なことは当業者に自明であろう。
【符号の説明】
【００４７】
１  第１の基板
２  対向基板
３  第２の基板
４、５  信号配線
６  端子
７  第１のダミーパターン
８  第２のダミーパターン
９  分岐パターン
１０  連結パターン
１１  導電パターン
１２  異方性導電膜
２０  張出領域
２１  接続領域
２２  露出領域
３０  無パターン領域
３１  （３／２）Ｐの幅の領域
５０  液晶材料
５１  シール材
【図１】
2010197496.tif 000003
【図２】
2010197496.tif 000004
【図３】
2010197496.tif 000005
【図４】
2010197496.tif 000006
【図５】
2010197496.tif 000007
【図６】
2010197496.tif 000008
【図７】
2010197496.tif 000009